(57)【要約】【課題】建物の複数の部屋から音を出力することができ、また、部屋に配置したテレビや家具等が出力した音の障害となることを防止でき、外観が良く、励振器による振動が周囲に伝わることを防止できて高音質の音を出力でき、さらにコストを削減できる内装板音出力システムを提供する。【解決手段】部屋７の天井面を構成する天井板１に励振器２を設ける。音信号をアンプ装置１０を介して励振器２に入力することで、励振器２により天井板１を振動して室内に音を出力する。励振器２を建物の複数の部屋７の天井板１に設ける。複数の励振器２に対してアンプ装置１０を１個設ける。【選択図】図１
2008271433.tif 000002
【特許請求の範囲】
【請求項１】
部屋の天井面を構成する天井板に励振器を設け、音信号をアンプ装置を介して励振器に入力することで、励振器により天井板を振動して室内に音を出力する内装板音出力システムであって、前記励振器を建物の複数の部屋の天井板に設け、これら複数の励振器に対してアンプ装置を１個設けて成ることを特徴とする内装板音出力システム。
【請求項２】
前記アンプ装置に音信号を入力するための音信号入力手段は、音源を接続可能な音源接続部と、音データを蓄積可能な音データ蓄積手段を備え、音源接続部に接続された音源からアンプ装置に音信号を供給するか、又は音データ蓄積手段からアンプ装置に音信号を供給するかを切り替えるための切替手段を設けて成ることを特徴とする請求項１に記載の内装板音出力システム。
【請求項３】
前記励振器を天井に設けた部屋の壁面又は床面を構成する内装板に前記アンプ装置からの音信号が入力されて内装板を振動させる壁用励振器又は床用励振器を設けて成ることを特徴とする請求項１又は請求項２に記載の内装板音出力システム。
【発明の詳細な説明】
【技術分野】
【０００１】
本発明は内装板音出力システムに関する。
【背景技術】
【０００２】
従来から部屋の壁にスピーカ装置を取り付ける又は組み込む音響システムが知られているが、このように壁にスピーカ装置を設けると、部屋に配置したテレビや家具等がスピーカ装置から出力される音の障害となる恐れがあり、また壁とは別に設けたスピーカ装置が室内に露出するため、部屋の外観を阻害するという問題もある。また、例えば特許文献１には天井に開口した作業口に作業口蓋を構成するスピーカ装置を設けたものがあるが、このものも天井とは別に設けたスピーカ装置が外観を阻害し、またこの特許文献１は天井の複数箇所にスピーカ装置を設けていないため、複数のスピーカ装置で音を出力できず演出効果や臨場感が出ない。
【０００３】
また例えば特許文献２には、浴室の作業口蓋の表面を構成する一枚の鋼板の裏面に複数の励振器を設けて作業口蓋をスピーカ装置としたものが開示されているが、このものは一枚の鋼板の裏面に複数の励振器を設けているために、励振器によって鋼板を振動させた時に、この振動が鋼板の他の励振器によって振動する部位に伝わり易く、音出力に悪影響を与える恐れがある。
【０００４】
また建物の複数の部屋にスピーカ装置を設けた場合には、各スピーカ装置毎にアンプ装置を設ける必要があり、コストがかかるという問題もある。
【特許文献１】特開２００６−３３２８６１号公報
【特許文献２】特開２００６−１３３６３９号公報
【発明の開示】
【発明が解決しようとする課題】
【０００５】
本発明は上記従来の問題点に鑑みて発明したものであって、建物の複数の部屋から音を出力することができ、部屋に配置したテレビや家具等が出力した音の障害となることを防止でき、また外観が良く、さらにコストを削減できる内装板音出力システムを提供することを課題とする。
【課題を解決するための手段】
【０００６】
本発明の内装板音出力システムは、部屋７の天井面を構成する天井板１に励振器２を設け、音信号をアンプ装置１０を介して励振器２に入力することで、励振器２により天井板１を振動して室内に音を出力する内装板音出力システムであって、前記励振器２を建物の複数の部屋７の天井板１に設け、これら複数の励振器２に対してアンプ装置１０を１個設けて成ることを特徴とする。
【０００７】
このような構成により、建物の複数の部屋７の天井面から音を出力することができる。また天井面は励振器２によって振動する部分も含めて全て同様の外観を有する天井板１によって構成されるため、従来のように天井とは別にスピーカ装置を設けたものと比較して外観が良い。また、複数の励振器２に対してアンプ装置１０を１個だけ設けたものであるので、コストを削減できる。
【０００８】
また、前記アンプ装置１０に音信号を入力するための音信号入力手段は、音源を接続可能な音源接続部９と、音データを蓄積可能な音データ蓄積手段を備え、音源接続部９に接続された音源からアンプ装置１０に音信号を供給するか、又はデータ蓄積手段からアンプ装置１０に音信号を供給するかを切り替えるための切替手段を設けることが好ましい。切替手段により音源接続部９に接続された音源からの音を出力するか、データ蓄積手段からの音を出力するかを切り替えることができる。
【０００９】
また、前記励振器２を天井に設けた部屋７の壁面又は床面を構成する内装板１５に前記アンプ装置１０からの音信号が入力されて内装板１５を振動させる壁用励振器２ａ又は床用励振器２ｂを設けることが好ましい。このように部屋７の壁面や床面を構成する内装板１５にアンプ装置１０からの音信号が入力されて該内装板１５を振動させる壁用励振器２ａや床用励振器２ｂを設けることで、各部屋７においては天井面から音を出力すると共に、壁用励振器２ａや床用励振器２ｂによって内装板１５を振動して音を出力でき、より演出効果や臨場感のある音を出力できる。また壁用励振器２ａや床用励振器２ｂには天井用の励振器２に利用されるアンプ装置１０から出力された音信号を入力するので、壁用励振器２ａ又は床用励振器２ｂのためのアンプ装置１０を別途設ける必要がなく、コストを削減できる。
【発明の効果】
【００１０】
本発明では、建物の複数の部屋の天井面から音を出力することができ、またこの場合、各部屋の天井から音を出力するので部屋に配置したテレビや家具等が出力した音の障害となることを防止できる。また天井面は励振器によって振動する部分も含めて全て同様の外観を有する天井板によって構成されるため、外観が良い。さらに一枚の天井板を独立して振動させて高音質の音を出力できる。また、複数の励振器に対してアンプ装置を１個だけ設けたものであるので、コストを削減できる。
【発明を実施するための最良の形態】
【００１１】
以下、本発明を添付図面に示す実施形態に基づいて説明する。図１は本実施形態の一例の内装板音出力システムを適用した建物を示す説明図である。本例の内装板音出力システムは、建物の隣接する二部屋の夫々の天井に複数設けた励振器２（エキサイタ）により、各部屋７の天井面の複数箇所から室内に音を出力できるようにしたものである。
【００１２】
上記各部屋７の天井面は図２に示すように天井板１を複数枚並べて天井下地用構造材４に取り付けることで構成してある。これら天井面を構成する天井板１としては、励振器２により直接振動させられて音を発生させる音出力用天井板１ａと、音を発生させない普通天井板１ｂのうちいずれかが使用され、天井面の大部分は普通天井板１ｂで構成され、天井面の複数箇所が部分的に音出力用天井板１ａで構成される。
【００１３】
音出力用天井板１ａは、ケナフ材、合板、その他の木材、鉄、アルミニウム等の金属、ロックウール材、石膏等で形成してある。音出力用天井板１ａの上面の外周には矩形状をした枠体３を固着してあり、枠体３はアルミニウム、鉄等の金属や、樹脂、木材等で形成してある。音出力用天井板１ａの上面の枠体３に囲まれた部分に前記励振器２を設けてあり、また枠体３の上端部に囲まれた部分を覆うように裏板１７を設けてある。そして音出力用天井板１ａ、枠体３、励振器２、裏板１７で音出力用天井板ユニットＡを構成し、これにより音信号が励振器２に入力されることで振動板としての音出力用天井板１ａを直接振動させて室内に向けて音を発生するようにしてある。なお励振器２は音出力用天井板１ａ一枚に対して１個だけ設けられる。
【００１４】
音出力用天井板１ａ及び普通天井板１ｂを取り付ける天井下地用構造材４は一定間隔で平行に並設した長尺な梁４ａからなり、これら梁４ａの下面側に掛け渡すようにして音出力用天井板１ａ及び普通天井板１ｂは取付けられる。梁４ａに上記音出力用天井板ユニットＡを取り付けるには、梁４ａの下面側に矩形状をした固定用枠５を固着し、この固定用枠５の下面側に矩形状の枠体３の上面側をスペーサー用インシュレータ６を介在させてねじ具１２により固着する。固定用枠５はアルミニウム、鉄等の金属や、樹脂、木材等で形成してある。このように枠体３を固定用枠５にスペーサー用インシュレータ６を介在させて固着することで、音出力用天井板１ａの音を発生させるための振動が固定用枠５側に伝わらず、音出力用天井板１ａを振動させて音を発生させるに当たって高音質の音を発生させることができる。
【００１５】
また普通天井板１ｂは上記音出力用天井板１ａとは縁をきった状態で梁４ａに取り付けられる。普通天井板１ｂを梁４ａに取り付けるには、普通天井板１ｂの上面の端部に固着した野縁２６を梁４ａに上端部を固着した吊り木２７の下端部に固着する。
【００１６】
梁４ａに固定した固定用枠５に音出力用天井板１ａの上面に設けた枠体３を取り付けるため、隣接する普通天井板１ｂに音出力用天井板１ａを取り付ける必要がなく、このため、音を発生させる音出力用天井板１ａの振動が普通天井板１ｂ側に伝わらないように、図２に示すように音出力用天井板１ａと普通天井板１ｂとの間に隙間を設けて両者が非接触の状態とすることができ、音出力用天井板１ａが音を発生させるために振動した際、該振動が隣接する普通天井板１ｂに伝わらず、この点でも天井面の一部を構成する音出力用天井板１ａを振動させて音を発生させるに当たって高音質の音を発生させることができる。なお、上記普通天井板１ｂ及び音出力用天井板１ａで構成された天井面の全体には、前述の音出力用天井板１ａと普通天井板１ｂとの間の隙間を含めてクロス等の天井面仕上げ材２８が貼着される。
【００１７】
図１に示すように平面視において各部屋７の矩形の天井面の対向する一対の端縁間の中間を通過する中心線ａとし、中心線ａと平行な方向を前後方向とすると、上記励振器２（音出力用天井板ユニットＡ）は各部屋７の天井面において前記中心線ａを中心に線対称となるよう前後に１対ずつ計４個設けてあり、これにより各部屋７に居る聴取者が四方の壁のうちいずれの壁の方を向いたとしても、聴取者にとっては天井面における前後の左右両側部分に励振器２が位置することとなる。
【００１８】
図３は本例の内装板音出力システムのブロック図である。内装板音出力システムは、音源を接続可能な音源接続部９からなる音信号入力手段と、音源接続部９からの音信号が入力される１個のアンプ装置１０と、該アンプ装置１０から出力された音信号が入力される前記各部屋７に設けた複数の音出力用天井板ユニットＡを備えている。
【００１９】
音源接続部９は各部屋７の壁に設けたコントローラ１１の夫々に設けてあり、各音源接続部９に接続される音源としては、ステレオ装置やテレビ等が挙げられる。なお音源接続部９は音源を着脱自在に接続可能なものであるが、該音源接続部９を設けず、アンプ装置１０に直接音源を接続しても良いものとする。また音源としては、ラジオ、各種音楽データを蓄積できるＵＳＢメモリ、メモリカード、有線放送、衛生放送、インターネットなどであっても良い。
【００２０】
アンプ装置１０は部屋７の天井裏等に設置され、図１のように隣接する部屋７の中間部分に配置してある。アンプ装置１０と各励振器２を接続する配線１３は天井裏などを通して室内に露出しないように配線１３される。アンプ装置１０は、音源から音源接続部９を介して入力された音信号を増幅し、増幅した音信号を各励振器２に出力するものであり、即ち本例では１個のアンプ装置１０に対して励振器２を８個設けている。なお、アンプ装置１０は音源から入力した音信号をステレオ信号やサラウンド信号に処理する機能を有するものであっても良い。
【００２１】
上記アンプ装置１０は各部屋７に設けたコントローラ１１を操作することで音信号の出力等を調節できるようになっている。なお各コントローラ１１はアンプ装置１０に有線で接続されるものであっても良いし、無線であっても良い。
【００２２】
そして上記内装板音出力システムにあっては、音源から出力した音信号をアンプ装置１０で増幅し、この音信号を各部屋７の各励振器２に割り振って入力することで、各励振器２により対応する音出力用天井板１ａを駆動し、これにより各部屋７の天井面の複数箇所から音を出力する。
【００２３】
このように本例の内装板音出力システムは、各部屋７の天井面から音を出力して音を出力でき、また各部屋７においては天井面の複数箇所からサラウンドのような演出効果や臨場感のある音を出力できる。またこの場合、天井から音を出力するので部屋７に配置したテレビや家具等が出力した音の障害となることを防止できる。また天井面は励振器２によって振動する部分も含めて全て同様の外観を有する天井板１によって構成されるため、従来のように天井とは別にスピーカ装置を設けたものと比較して外観が良い。さらには励振器２によって一枚の天井板１を独立して振動させることができ、この振動が他の天井板１に伝わって音出力に悪影響を与えることを防止できる。また複数の励振器２に対してアンプ装置１０を１個だけ設けたものであるので、コストを削減できる。
【００２４】
次に上記とは異なる他例の内装板音出力システムについて説明する。なお以下の説明では上記一例の内装板音出力システムと同一の構成については同一の番号を付与し、重複する説明は省略する。
【００２５】
図４に示す本例の内装板音出力システムにあっては、前述の音源接続部９とは別に、音データを蓄積可能なデータ蓄積装置１４（音データ蓄積手段）を備えており、該データ蓄積装置１４と音源接続部９とで音信号入力手段を構成している。データ蓄積装置１４はアンプ装置１０及びコントローラ１１に配線１３を介して接続してあり、コントローラ１１を操作することで、音源接続部９に接続された音源からアンプ装置１０に音信号を供給するか、又はデータ蓄積装置１４からアンプ装置１０に音信号を供給するかを切り替えられるようにしてある。即ち本例ではコントローラ１１で切替手段を構成している。
【００２６】
なお、本例ではデータ蓄積装置１４に励振器２を設けた全ての部屋７のコントローラ１１のうち１つの部屋７のコントローラ１１にのみデータ蓄積装置１４を接続し、該コントローラ１１によってのみ、前記アンプ装置１０に入力される音信号の切り替えとデータ蓄積装置１４の制御を行えるようにしたが、各部屋７のコントローラ１１にデータ蓄積装置１４を接続して全部屋のコントローラ１１で前記アンプ装置１０に入力される音信号の切り替えとデータ蓄積装置１４の制御を行えるようにしても良い。
【００２７】
次に上記とは更に異なる他例の内装板音出力システムについて説明する。なお以下の説明では一例の内装板音出力システムと同一の構成については同一の番号を付与し、重複する説明は省略する。
【００２８】
図５に示す本例の内装板音出力システムは、一方の部屋７に１個の壁用励振器２ａを設け、他方の部屋７に１個の床用励振器２ｂを設けている。壁用励振器２ａは部屋７の壁面を構成する複数の壁板のうち任意の壁板１５ａの室外側の面に設けてあり、また床用励振器２ｂは部屋７の床面を構成する複数の床板のうち任意の床板１５ｂの下面に設けてある。壁用励振器２ａ及び床用励振器２ｂは上記天井用の励振器２を接続したアンプ装置１０に接続してあり、アンプ装置１０から出力した音信号が入力されて、対応する壁板１５ａ又は床板１５ｂを振動して音を出力する。
【００２９】
壁用励振器２ａ及び床用励振器２ｂは、一例の天井用の励振器２と同様に、各部屋７の壁板１５ａ又は床板１５ｂからなる内装板１５の裏面に設けてある。即ち各部屋７の壁面及び床面を構成する壁板又は床板としては、音を発生させない普通内装板と、壁用励振器２ａ又は床用励振器２ｂにより直接振動させられて音を発生させる音出力用内装板１５のいずれかが使用され、このうち音出力用内装板１５に壁用励振器２ａや床用励振器２ｂを設けて音出力用内装板ユニット１６を構成する。なお、各部屋の壁板及び床板は、柱や間柱等からなる壁下地用構造材又は根太等からなる床下地構造材に掛け渡すようにして取り付けられる。
【００３０】
このように部屋７の壁面や床面を構成する内装板１５にアンプ装置１０からの音信号が入力されて該内装板１５を振動させる壁用励振器２ａ及び床用励振器２ｂを設けることで、各部屋７においては励振器２により天井面から音を出力すると共に、壁用励振器２ａや床用励振器２ｂによって内装板１５を振動して壁面や床面から音を出力でき、より演出効果や臨場感のある音を出力できる。また、壁用励振器２ａ及び床用励振器２ｂには天井用の励振器２に利用されるアンプ装置１０から出力された音信号を入力するので、壁用励振器２ａ又は床用励振器２ｂのためのアンプ装置１０を別途設ける必要がなく、コストを削減できる。
【００３１】
なお、本例では各部屋７において壁用励振器２ａ又は床用励振器２ｂの一方のみを設けたが、壁用励振器２ａ及び床用励振器２ｂの両方を各部屋７に設けても良い。また本例は一例の内装板音出力システムに前記壁用励振器２ａと床用励振器２ｂを設けたものであるが、他例の内装板音出力システムに前記壁用励振器２ａと床用励振器２ｂを設けても良い。
【００３２】
また、上記各例では各部屋７の天井の４箇所に励振器２を設けたが、励振器２は天井面の１箇所にのみ設けてあっても良く、また４箇所を除く複数箇所に設けてあっても良い。また上記各例では建物の二部屋に励振器２、２ａ、２ｂを設けて音を出力するようにしたが、３以上の部屋に励振器２、２ａ、２ｂを設けて音を出力するようにしても良い。
【図面の簡単な説明】
【００３３】
【図１】本発明の実施の形態の一例の内装板音出力システムを適用した建物の説明図である。
【図２】同上の部屋の天井部分の断面図である。
【図３】同上の内装板音出力システムのブロック図である。
【図４】他例の内装板音出力システムを適用した建物の説明図である。
【図５】更に他例の内装板音出力システムを適用した建物の説明図である。
【符号の説明】
【００３４】
１  天井板
２  励振器
７  部屋
９  音源接続部
１０  アンプ装置
１５  内装板
【図１】
2008271433.tif 000003
【図２】
2008271433.tif 000004
【図３】
2008271433.tif 000005
【図４】
2008271433.tif 000006
【図５】
2008271433.tif 000007